(57)【要約】【課題】撮像素子の駆動モードに応じて撮像素子の画素欠陥の補正を行うことができる撮像装置を提供する。【解決手段】駆動回路１１３は、ＣＣＤ撮像素子１０１を複数種類の駆動方式で駆動する。ＦＲＯＭ１１２は、駆動方式別にＣＣＤ撮像素子１０１の画素欠陥に関する情報である画素欠陥情報を格納する。信号処理回路１０５は、駆動回路１１３がＣＣＤ撮像素子１０１を駆動する駆動モードに応じてＦＲＯＭ１１２より画素欠陥情報を参照して画素欠陥の補正を行う。【選択図】  図１
2004242103.tif 000002
【特許請求の範囲】
【請求項１】
撮像素子を具備する撮像装置であって、
前記撮像素子を複数種類の駆動方式で駆動する駆動手段と、
前記駆動方式別に前記撮像素子の画素欠陥に関する情報である画素欠陥情報を格納する画素欠陥情報格納手段と、
前記駆動手段が前記撮像素子を駆動する駆動方式に応じて前記画素欠陥情報格納手段より前記画素欠陥情報を参照して画素欠陥の補正を行う補正手段と
を具備することを特徴とする撮像装置。
【発明の詳細な説明】
【０００１】
【発明の属する技術分野】
本発明は、撮像素子を具備する撮像装置に関し、特に撮像素子における画素欠陥の補正に関するものである。
【０００２】
【従来の技術】
従来の撮像装置においては、撮像素子における画素欠陥の補正として次のような対応がなされていた。
例えば、撮像素子の画素数が少ない場合には、撮像装置の製造時に画素欠陥の無い撮像素子を用いることによって、撮像素子の画素欠陥により撮像装置が生成する画像上にキズが発生するのを防いでいた。しかし、近年の傾向として撮像素子の画素数が増えてきた場合には、１００％画素欠陥の無い撮像素子を製造することは非常に困難であり、また、可能であっても歩留まり低下に伴うコストの上昇を招いていた。以上より、撮像素子を具備する撮像装置の製品出荷直前に、撮像素子の画素欠陥の位置情報などを検査して、撮像装置の製品固体ごとに記憶し、専用の補正回路によって撮像装置が生成する画像に画素欠陥が原因となるキズを目立たなくする処理を行っていた。
【０００３】
【発明が解決しようとする課題】
しかしながら、例えば、デジタルスチルカメラ（撮像装置）において、上述したように画素欠陥を補正する画像は記録媒体等に記録する静止画像に限られ、デジタルスチルカメラに良く用いられるＥＶＦ（Ｅｌｅｃｔｒｉｃ  Ｖｉｅｗ  Ｆｉｎｄｅｒ）モニタに表示する画像に対しては、画素欠陥の補正が行なわれていなかった。これは、ＥＶＦモニタに表示する画像を生成する場合は、撮像素子の駆動モードが静止画像を生成する場合と異なり、通常の画素欠陥の補正処理を適用できないためである。そのため画素欠陥の程度によっては、ＥＶＦモニタに表示する画像にかなり目立つ大きなキズができることがあり、画像品質を下げてしまうという問題があった。
【０００４】
本発明は上記問題点を鑑みてなされたものであり、撮像素子の駆動モードに応じて撮像素子の画素欠陥の補正を行うことができる撮像装置を提供することを目的とする。
【０００５】
【課題を解決するための手段】
この発明は、上述した課題を解決すべくなされたもので、本発明による撮像装置においては、撮像素子を具備する撮像装置であって、撮像素子を複数種類の駆動方式で駆動する駆動手段と、駆動方式別に撮像素子の画素欠陥に関する情報である画素欠陥情報を格納する画素欠陥情報格納手段と、駆動手段が撮像素子を駆動する駆動方式に応じて画素欠陥情報格納手段より画素欠陥情報を参照して画素欠陥の補正を行う補正手段とを具備することを特徴とする。
【０００６】
これにより、本発明の撮像装置においては、撮像装置における撮像素子の駆動モード（駆動方式）に応じて画素欠陥情報を参照して撮像素子の画素欠陥の補正を行うことができる。
【０００７】
【発明の実施の形態】
以下、図面を用いて本発明の実施形態について説明する。
まず、本発明の一実施形態であるデジタルスチルカメラ（撮像装置）の概略構成について説明する。
図１は、本発明の一実施形態におけるデジタルスチルカメラの概略構成を示す図である。図１において、１００は、デジタルスチルカメラであり、以下に示す構成要素を備える。１０１は、ＣＣＤ（Ｃｈａｒｇｅ  Ｃｏｕｐｌｅｄ  Ｄｅｖｉｃｅ）撮像素子であり、撮像面に結像する被写体の輝度に応じた電気信号を出力する。
【０００８】
尚、ＣＣＤ撮像素子１０１はカラー撮像を行うエリアセンサであり、複数種類の色フィルタを備える画素が二次元配列で配置され、それらの画素のいくつかは画素欠陥である。この画素配列および画素欠陥例については後述する。また、デジタルスチルカメラ１００は、図１に示していないが、被写体像をＣＣＤ撮像素子１０１の撮像面に結像するため、レンズや絞り機構などから構成される光学系を具備する。また、ＣＣＤ撮像素子１０１は、複数種類の駆動モードを有する。具体的には、静止画像データを撮影する場合に、全画素の画素データを読み出す静止画モードと、ＥＶＦ用の画像データを撮影する場合に、垂直方向の画素データを間引いて読み出すＥＶＦモードの２種類があるとする。また、駆動モードの種類は上述した限りではなく、種々の駆動モードを備えていてもよい。
【０００９】
１０２は、ＣＤＳ（Ｃｏｒｒｅｌａｔｅｄ  Ｄｏｕｂｌｅ  Ｓａｍｐｌｉｎｇ）−Ａ／Ｄ（アナログ／デジタル）コンバータであり、ＣＣＤ撮像素子１０１が出力する電気信号のサンプリングおよびアナログ−デジタル変換を行う。１０３は、メモリであり、デジタルスチルカメラ１００内で処理する画像データを一時保存する。１０４は、ＪＰＥＧ（Ｊｏｉｎｔ  Ｐｈｏｔｏｇｒａｐｈｉｃ  Ｅｘｐｅｒｔｓ  Ｇｒｏｕｐ）回路であり、未圧縮の画像データに対してＪＰＥＧ圧縮処理を行う。
【００１０】
１０５は、信号処理回路であり、撮像データを処理することで画像データ生成するなどの信号処理を行う。具体的には、信号処理回路１０５は、ＣＣＤ撮像素子１０１に対して画素欠陥の検出を行う検出機能（検出手段）や、画素欠陥の位置に関する情報を基にＣＣＤ撮像素子１０１の画素欠陥により欠落した画素データを周辺の画素の画素データで補間することで補正を行う補正機能（補正手段）を有する。尚、信号処理回路１０５の検出機能や補正機能の詳細については後述する。
【００１１】
１０６は、メモリコントローラであり、メモリ１０３と他の処理回路との画像データの受け渡しなどを制御する。尚、メモリコントローラ１０６には、ＣＤＳ−Ａ／Ｄコンバータ１０２が接続され撮像データが入力される。また、メモリコントローラ１０６は、メモリ１０３、ＪＰＥＧ回路１０４、信号処理回路１０５および後述するシステムコントローラ１１０やＤ／Ａコンバータ１０７とも接続される。
【００１２】
１０７は、Ｄ／Ａ（デジタル／アナログ）コンバータであり、液晶表示装置１０８に表示するための画像データ（デジタルデータ）列をアナログ信号に変換する。尚、ここで、液晶表示装置１０８は、撮像時に利用者が被写体像を確認するためのＥＶＦモニタを兼用しているとする。つまり、ＥＶＦモードとは、撮影しようとする被写体象を液晶表示装置１０８に表示する際の撮像素子１０１の駆動モードである。
【００１３】
１０９は、シャッタスイッチであり、静止画像を撮影するタイミングで利用者により押下されるスイッチである。１１０は、システムコントローラであり、デジタルスチルカメラ１００全体の動作を制御する。具体的には、システムコントローラ１１０は、ＣＣＤ撮像素子１０１を駆動する駆動回路（ＣＣＤドライバ）１１３の制御や、メモリコントローラ１０６の制御を行う。この制御により、システムコントローラ１１０は、ＣＣＤ撮像素子１０１の駆動モードの変更を行う。尚、システムコントローラ１１０は、シャッタ１０９と接続され、シャッタ１０９が押下されたことを検出する。
【００１４】
１１１は、カードメモリであり、最終画像データを記憶する。尚、カードメモリ１１１は、システムコントローラ１１０と例えば専用のインターフェース回路を介して接続され、システムコントローラ１１０からの制御により画像データを記録したり、記録した画像データを消去したりする。１１２は、ＦＲＯＭであり、デジタルスチルカメラ１００の起動に必要なファームウエアデータを記憶する不揮発性の書き換え可能メモリであり、システムコントローラ１１０に接続されている。１１３は、駆動回路であり、システムコントローラ１１０からの制御に応じて種々の駆動モードでＣＣＤ撮像素子１０１を駆動する。
【００１５】
以下、図１に示したデジタルカメラ１００の主要な動作について説明する。まず、ＣＣＤ撮像素子１０１は、撮像面上に結像する被写体像を、光電変換によって生成した電気信号であるＣＣＤ出力信号を出力する。次に、ＣＤＳ−ＡＤコンバータ１０２は、ＣＣＤ出力信号をサンプリング後にデジタル信号に変換して撮影データを出力する。次に、メモリコントローラ１０６は、１画面分の撮影データをメモリ１０３に格納する。次に、信号処理回路１０５は、メモリ１０３内の撮影データをメモリコントローラ１０６経由で読み出し、信号処理することで画像データを生成する。次に、ＪＰＥＧ回路１０４は、信号処理回路１０５が生成した画像データにＪＰＥＧ圧縮処理を行う。次に、システムコントローラ１１０は、ＪＰＥＧ圧縮後の画像データをカードメモリ１１１に記録する。以上により、デジタルカメラ１００は、利用者がシャッタ１０９を押下することで撮影したＪＰＥＧ形式の画像データをカードメモリ１１１に記録することができる。
【００１６】
また、図１に示していない画像表示スイッチをオンにすると、信号処理回路１０５は、メモリコントローラ１０６経由でメモリ１０３より撮像データを読み出し、液晶表示装置１０８に表示する表示用データを生成する。これにより、Ｄ／Ａコンバータ１０７が表示用データをアナログ信号に変換した表示用信号を液晶表示装置１０８に出力する。これにより、液晶表示装置１０８には、撮影した画像が表示される。
【００１７】
また、ＦＲＯＭ１１２には、ＣＣＤ撮像素子１０１の画素欠陥に関する情報（以下、画素欠陥情報とする）なども保持されている。尚、画素欠陥情報とは例えば、画素欠陥の位置を特定する番地（Ｘアドレス、Ｙアドレスから構成される）である。システムコントローラ１１０は、ＦＲＯＭ１１２と接続され、メモリ１０３に撮像データが格納された直後に、ＦＲＯＭ１１２より画素欠陥情報を参照して信号処理回路１０５へ渡す。信号処理回路１０５は、画素欠陥情報より該当する番地の画素に対して、同色フィルタを有する上下左右の周囲の画素データを用いて補間することで画素欠陥データを書き換えるという補正処理を行う。
【００１８】
尚、欠陥補正に用いる周囲の画素データの選択方法および選択した画素データを用いた補間方法は、種々の方法を用いてよい。また、ＦＲＯＭ１１２に格納する画素欠陥情報は、ＣＣＤ撮像装置１０１の駆動モード別に複数種類あってもよい。本実施形態においては、静止画モードに対応する第１の画素欠陥情報（基本画素欠陥情報）と、ＥＶＦモードに対応する第２の画素欠陥情報（基本画素欠陥情報を基に生成するその他の画素欠陥情報）とがある。この２種類の画素欠陥情報の具体例については後述する。
【００１９】
次に、ＣＣＤ撮像素子１０１における画素欠陥例と、駆動モードの違いによる利用する画素の違いについて図を用いて説明する。
図２は、図１に示したＣＣＤ撮像素子１０１における画素欠陥例と、駆動モードの違いによる利用する画素の違いを示す図である。図２に示すように、ＣＣＤ撮像素子１０１は、ＲＧＢ（レッド、グリーン、ブルー）の色フィルタを有する画素配列であり、３箇所に画素欠陥ａ、ｂ、ｃがある。また、静止画モードの場合は全画素読み出しなのに対して、ＥＶＦモードの場合はＣＣＤ撮像素子１０１の画素配列において垂直方向に間引き読み出しを行って１フレーム分の画素信号読み出し処理の高速化をはかっている。このような場合に、ＦＲＯＭ１１２に格納する駆動モードに応じた画素欠陥情報は以下のようになる。
【００２０】
まず、ＣＣＤ撮像素子１０１の駆動モードが静止画モードの場合には、ＣＣＤ撮像素子１０１の全画素の画素データを読み出すので、第１の画素欠陥情報としてＦＲＯＭ１１２に格納する画素欠陥の番地は以下のようになる。
画素欠陥ａ：Ｘアドレス＝１、Ｙアドレス＝１
画素欠陥ｂ：Ｘアドレス＝３、Ｙアドレス＝３
画素欠陥ｃ：Ｘアドレス＝７、Ｙアドレス＝２
具体的には、図３（ａ）に示すように、静止画モードにおける第１の画素欠陥情報として、ＸアドレスとＹアドレスの情報のみをＦＲＯＭ１１２に格納する。
【００２１】
また、ＣＣＤ撮像素子１０１の駆動モードがＥＶＦモードの場合には、ＣＣＤ撮像素子１０１の垂直方向の画素を間引きして読み出すので、図２に示すように撮像素子１０１のライン順に対してＥＶＦモードのライン順が以下のように飛び飛びに対応する。
１ライン目  →  ＥＶＦモードでの１ライン目
４ライン目  →  ＥＶＦモードでの２ライン目
７ライン目  →  ＥＶＦモードでの３ライン目
【００２２】
以上より、ＥＶＦモードに対応する第２の画素欠陥情報としてＦＲＯＭ１１２に格納する画素欠陥の番地は
画素欠陥ａ：Ｘアドレス＝１、Ｙアドレス＝１
画素欠陥ｃ：Ｘアドレス＝３、Ｙアドレス＝２
となる。
具体的には、図３（ｂ）に示すように、ＥＶＦモードにおける第２の画素欠陥情報としてＸアドレスとＹアドレスの情報のみをＦＲＯＭ１１２に格納する。
【００２３】
このＥＶＦモード時の第２の画素欠陥情報は、ＣＣＤ撮像素子１０１の全画素を読み出す駆動モード（本実施形態では静止画モード）で欠陥画素を検出して生成した第１の画素欠陥情報を基に、ＥＶＦモードで利用する画素に応じて生成することができる。また、本実施形態では２種類の駆動モードであるが、多種類の駆動モードであっても、第１の画素欠陥情報を基に、駆動モード別の画素欠陥情報を生成することができる。これにより、それぞれ駆動モード毎に画素欠陥情報を検出する必要がなく、製造上の簡易化を計れる。
【００２４】
更に、デジタルスチルカメラ１００の電源投入後の起動動作において、起動する度に駆動モード毎の画素欠陥情報を生成するのでは、駆動モードの種類が多いと生成処理に多くの時間を要することになる。しかし、本実施形態では、一度生成した画素欠陥情報はＦＲＯＭ１１２に保存するため、駆動モード毎に画素欠陥情報を生成する時間をかけることなくデジタルスチルカメラ１００の起動動作を行うことができる。
【００２５】
図４は、起動する度に駆動モードに応じて画素欠陥情報を生成する場合と、一度生成した駆動モード別の画素欠陥情報をＦＲＯＭ１１２に保存して起動の度に参照する場合とで、起動時に画素欠陥情報の設定に要する時間を比較する図である。図４に示すように、起動してから画素欠陥情報を設定完了するまでに、起動する度に駆動モードに応じて画素欠陥情報を生成する場合は、画素欠陥情報（静止画モード）の読み込み、画素欠陥情報の変換、画素欠陥情報（ＥＶＦモード）の設定と３ステップ必要である。これに対して、一度生成した駆動モード別の画素欠陥情報をＦＲＯＭ１１２に保存して起動の度に参照する場合は、画素欠陥情報（ＥＶＦモード）の読み込み、画素欠陥情報の設定と２ステップで済み、明らかに時間短縮できている。
【００２６】
更に、ＥＶＦモードに対応する画素欠陥情報（第２の画素欠陥情報）の方が、静止画モードに対応する画素欠陥情報（第１の画素欠陥情報）に比べて、画素が間引かれているため画素欠陥情報のデータ量が減ることが多く、この場合には、画素欠陥情報を読み出す時間も短縮することができる。従って、全体では大きな差異になることがある。以上に示すように、本実施形態におけるデジタルスチルカメラ１００においては、ＣＣＤ撮像素子１０１の駆動モードに応じた画素欠陥情報を効率的に生成することができる。また、１つの駆動モードで１度検出された画素欠陥情報（第１の画素欠陥情報）から、その他の駆動モードに応じたその他の画素欠陥情報を生成することにより、ＦＲＯＭ１１２に、効率的かつ効果的に画素欠陥情報を記憶することができる。
【００２７】
また、ＥＶＦモードでは画像を確認するＥＶＦモニタが小さいこともあり、静止画モード時に生成する画像データに比べて、比較的大きな画素欠陥しか目立ちにくいという傾向がある。これを利用して、第１の画素欠陥情報のうち、大きさで上位数十個のみを画素欠陥情報としてＥＶＦモードに対応させた第２の画素欠陥情報を生成することで、第２の画素欠陥情報はデータ量が少なくなり、より高速な読み込みを実現できる。これにより、例えば、第１の画素欠陥情報が圧縮されている場合には、その圧縮を解凍する時間が更に必要になるが、第２の画素欠陥情報のデータ量が少なければ圧縮する必要もない。
【００２８】
尚、本発明の撮像装置はデジタルスチルカメラに限らず、撮像素子を備えるビデオカメラなどの撮像装置であってもよい。また、上述した実施形態において撮像装置が具備する撮像素子はＣＣＤ撮像素子であったが、この限りではなく、ＣＭＯＳセンサーなどであってもよい。また、上述したＣＣＤ撮像素子は、ＲＧＢの色フィルタを備えていたが、この限りではなく、補色の色フィルタを備えるＣＣＤ撮像素子や、色フィルタを付加しない白黒映像用のＣＣＤ撮像素子などでもよい。また、上述した実施形態ではＥＶＦモードにおいて垂直方向の画素のみを間引いたが、この限りではなく、水平方向の画素のみを間引いたり、垂直・水平双方向の画素を間引いたりしてもよい。
【００２９】
また、図１に示したデジタルスチルカメラ１００のシステムコントローラ１１０は、専用のハードウェアにより実現されるものであってもよく、また、システムコントローラ１１０の一部または全部は、メモリおよびＣＰＵ（中央演算装置）により構成され、システムコントローラ１１０における種々の処理を実現する為のプログラムをメモリに読み込んで実行することによりその処理を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００３０】
また、図１に示すシステムコントローラ１１０は、デジタルカメラ１００が内蔵するコンピュータが前述した実施形態の機能を実現するプログラムを記録した記録媒体より、プログラムを読み出し実行することによっても達成される。また、コンピュータが読み出したプログラムの指示に基づき、コンピュータ上で稼働しているオペレーティングシステム（ＯＳ）などが実際の処理の一部または全部を行い、その処理によって前述した実施形態の機能が実現される場合も含まれる。
【００３１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の機能が実現されてもよい。
【００３２】
以上、この発明の実施形態について図面を参照して詳述してきたが、具体的な構成はこの実施形態に限られるものではなく、この発明の要旨を逸脱しない範囲の設計等も含まれる。
【００３３】
また、本発明の実施態様の例を以下に列挙する。
【００３４】
［実施態様１］  撮像素子を具備する撮像装置であって、
前記撮像素子を複数種類の駆動方式で駆動する駆動手段と、
前記駆動方式別に前記撮像素子の画素欠陥に関する情報である画素欠陥情報を格納する画素欠陥情報格納手段と、
前記駆動手段が前記撮像素子を駆動する駆動方式に応じて前記画素欠陥情報格納手段より前記画素欠陥情報を参照して画素欠陥の補正を行う補正手段と
を具備することを特徴とする撮像装置。
【００３５】
［実施態様２］  前記画素欠陥情報は、基本駆動方式により前記撮像素子を駆動して欠陥画素を検出することで生成した基本画素欠陥情報と、その他の駆動方式と前記基本駆動方式の関係および前記基本画素欠陥情報より生成するその他の駆動方式に応じたその他の画素欠陥情報とより構成されることを特徴とする実施態様１に記載の撮像装置。
【００３６】
［実施態様３］  前記基本駆動方式は前記撮像素子の全画素を読み出す駆動方式であることを特徴とする実施態様２に記載の撮像装置。
【００３７】
［実施態様４］  前記基本画素欠陥情報に比べて前記その他の画素欠陥情報はデータ量が少ないことを特徴とする実施態様２に記載の撮像装置。
【００３８】
［実施態様５］  前記画素欠陥情報格納手段は、不揮発性の記録媒体であることを特徴とする実施態様１から実施態様４のいずれか１項に記載の撮像装置。
【００３９】
［実施態様６］  撮像素子と、前記撮像素子を複数種類の駆動方式で駆動する駆動手段とを具備する撮像装置を用いた撮像方法であって、
前記駆動方式別に前記撮像素子の画素欠陥に関する情報である画素欠陥情報を格納する画素欠陥情報格納手段より、前記駆動手段が前記撮像素子を駆動する駆動方式に応じて前記画素欠陥情報を参照して画素欠陥の補正を行うことを特徴とする撮像方法。
【００４０】
［実施態様７］  撮像素子と、前記撮像素子を複数種類の駆動方式で駆動する駆動手段とを具備する撮像装置用のプログラムを記録したコンピュータ読み取り可能な記録媒体であって、
前記駆動方式別に前記撮像素子の画素欠陥に関する情報である画素欠陥情報を格納する画素欠陥情報格納手段より、前記駆動手段が前記撮像素子を駆動する駆動方式に応じて前記画素欠陥情報を参照して画素欠陥の補正を行う処理を前記撮像装置のコンピュータに実行させるプログラムを記録したコンピュータ読み取り可能な記録媒体。
【００４１】
［実施態様８］  撮像素子と、前記撮像素子を複数種類の駆動方式で駆動する駆動手段とを具備する撮像装置用のプログラムであって、
前記駆動方式別に前記撮像素子の画素欠陥に関する情報である画素欠陥情報を格納する画素欠陥情報格納手段より、前記駆動手段が前記撮像素子を駆動する駆動方式に応じて前記画素欠陥情報を参照して画素欠陥の補正を行う処理を前記撮像装置のコンピュータに実行させるプログラム。
【００４２】
【発明の効果】
以上説明したように、本発明による撮像装置においては、撮像素子を複数種類の駆動方式で駆動する駆動手段と、駆動方式別に撮像素子の画素欠陥に関する情報である画素欠陥情報を格納する画素欠陥情報格納手段と、駆動手段が撮像素子を駆動する駆動方式に応じて画素欠陥情報格納手段より画素欠陥情報を参照して画素欠陥の補正を行う補正手段とを具備するので、撮像装置における撮像素子の駆動モード（駆動方式）に応じて画素欠陥情報を参照して撮像素子の画素欠陥の補正を行うことができる。また、撮像素子の駆動モードに応じた画素欠陥情報を画素欠陥情報格納手段に格納しているので、基本となる画素欠陥情報を基に駆動モードに応じた画素欠陥情報を生成する場合と比べて、駆動モードに応じた画素欠陥の補正を迅速に行うことができる。
【図面の簡単な説明】
【図１】本発明の一実施形態におけるデジタルスチルカメラの概略構成を示す図である。
【図２】図１に示したＣＣＤ撮像素子１０１における画素欠陥例と、駆動モードの違いによる利用する画素の違いを示す図である。
【図３】静止画モードおよびＥＶＦモードにおけるＦＲＯＭ１１２に格納される画素欠陥情報例を示す図である。
【図４】駆動モードに応じた画素欠陥情報の生成・参照方法の違いにより、起動時に画素欠陥情報の設定に要する時間を比較する図である。
【符号の説明】
１００    デジタルスチルカメラ
１０１    ＣＣＤ撮像素子
１０２    ＣＤＳ−Ａ／Ｄコンバータ
１０３    メモリ
１０４    ＪＰＥＧ圧縮回路
１０５    信号処理回路
１０６    メモリコントローラ
１０７    Ｄ／Ａコンバータ
１０８    液晶表示装置
１１０    システムコントローラ
１１１    カードメモリ
１１２    ＦＲＯＭ
１１３    駆動回路
【図１】
2004242103.tif 000003
【図２】
2004242103.tif 000004
【図３】
2004242103.tif 000005
【図４】
2004242103.tif 000006